(57)【要約】【課題】  転写ローラが当接する際の衝撃を緩和する。【解決手段】  感光体上に現像されたトナー像が複数回回転しながら転写される中間転写体と、該中間転写体に圧接離間自在に設けられて、シート材を中間転写体に圧接搬送しながら中間転写体上のトナー像をシート材に転写する転写ローラとを備えた画像形成装置において、回転自在に設けられた軸と、軸に設けられた二つのカムと、一端側が前記カムに当接して他端側が前記転写ローラの一端側に設けられた回転軸受けに当接するプッシュアームとを有し、前記二つのカムの位相をずらす事により、前記転写ローラが中間転写体に対し離間状態から当接状態へ移動するタイミングが前記転写ローラの長手方向の一端側が他端側に先行して中間転写体へ当接する。【選択図】  図３
2005091725.tif 000002
【特許請求の範囲】
【請求項１】
感光体上に現像されたトナー像が複数回回転しながら転写される中間転写体と、該中間転写体に圧接離間自在に設けられて、シート材を中間転写体に圧接搬送しながら中間転写体上のトナー像をシート材に転写する転写ローラとを備えた画像形成装置において、回転自在に設けられた軸と、軸に設けられた二つのカムと、一端側が前記カムに当接して他端側が前記転写ローラの一端側に設けられた回転軸受けに当接するプッシュアームとを有し、前記二つのカムの位相をずらす事により、前記転写ローラが中間転写体に対し離間状態から当接状態へ移動するタイミングが前記転写ローラの長手方向の一端側が他端側に先行して中間転写体へ当接する事を特徴とする画像形成装置。
【請求項２】
前記転写ローラが中間転写体に対し離間状態から当接状態へ移動するタイミングが前記転写ローラの長手方向の一端側が他端側に先行して中間転写体へ当接し、かつ、離間状態へ前記転写ローラが移動する時には、前記転写ローラの長手方向の一端側及び他端側が同時に移動する様に、前記二つのカムの形状を形成する事を特徴とする請求項１に記載の画像形成装置。
【請求項３】
前記転写ローラが中間転写体に対し離間状態から当接状態へ移動する間に転写ローラが移動を一時的に停止する停止位置を設けたことを特徴とする請求項１及び請求項２に記載の画像形成装置。
【発明の詳細な説明】
【技術分野】
【０００１】
本発明はカラー複写機等の画像形成装置に関し、特に中間転写体から転写紙にトナー像を転写する転写機構に関するものである。
【背景技術】
【０００２】
例えば図８に示すようなカラー複写機において、複写機本体１の内部に感光体４と、該感光体４の周囲に配された、帯電装置４ａ、現像装置５（５Ｙ、５Ｍ、５Ｃ、５Ｂ）、感光体用クリーニング装置４ｂとを備え、前記現像装置５Ｙ、５Ｍ、５Ｃ、５Ｂには、それぞれイエロー、マゼンタ、シアン、ブラツクのトナーが充填されている。
【０００３】
複写機本体１の上部には、原稿読み取り装置２が配置されている。原稿読み取り装置２は、原稿を載置するための原稿台が設けられ、原稿台の下方に、原稿台上に載置された原稿を走査して、その反射光はＣＣＤにより電気信号に変換される。ＣＣＤからの電気信号は、レーザー発信装置９によりレーザー光として感光体４上に導かれ静電潜像を形成する。そして、前記感光体４に接触して複数色のトナー画像を重ねるためのベルト状の中間転写体（中間転写ベルト）６が配されている。該中間転写ベルト６の周囲に、感光体４上のトナー画像を中間転写ベルト６に転写するための１次転写装置６ａと、中間転写ベルト６上のトナー画像をシート材へ転写するためのローラ転写装置（２次転写外ローラー８）８０と、転写ベルト用クリーニング装置６ｂとが設けられている。
【０００４】
なお、図８中、１０は用紙カセツト、１１は給紙ローラ、１４はレジストローラー、１７は定着装置、１９は排出ローラー、２０排出シートトレイである。
【０００５】
前記ローラ転写装置８０は、図９に示す様に、中間転写ベルト６に圧接離間する２次転写外ローラ８と、２次転写外ローラー８の端部を回転自在に支持する一端側と、画像形成装置本体１に遥動可能に支持される他端側とで構成される遥動軸受け３２と、遥動軸受け３２に固定され２次転写外ローラ８を中間転写ベルト６へ圧接させるための加圧バネ３３から構成される。図９は２次転写外ローラーの一端側を示しており、他端側においても同様の構成となっている。
【０００６】
また、複写機本体１に不図示の駆動源により回転自在に支持された軸３０と、軸３０に配設されるカム３４と、一端側がカム３４の外周面に当接し、他端側が前記遥動軸受け３２に当接する様に配置されて、図９の矢印のごとくスライド可動するプッシュアーム３１を備えている。
【０００７】
上記構成において、原稿読取装置２に載置された原稿を走査し、ＣＣＤからの電気信号によりレーザー発信装置９から照射されたレーザー光により感光体４を露光する。順次、現像装置５によりトナー像が形成される。感光体４上に形成されたトナー像は、１次転写装置６ａにより中間転写ベルト６に転写される。このように順次、各色のトナー像は、中間転写ベルト６上に画像位置を合わせて重ねられていく。そして、３色のトナー画像が、２次転写外ローラー８により用紙カセツト１０から給紙されたシート材に転写され、定着装置１７で定着されて複写機本体１から排出シートトレイ２０上に排出されてカラー画像が形成される。
【０００８】
上記作像プロセス中の２次転写外ローラー８は、中間転写ベルト６上に順次トナー像を重ねている時には、図１０に示す様に、カム３４は図示の回転位置にいるためプッシュアーム３１により遥動軸受け３２が押されて２次転写外ローラー８が中間転写ベルト６から退避した位置に移動している。また、中間転写ベルト６上のトナー像をシート材に転写するときには、図９に示す様に、カム３４が軸３０の回転により図示の向きに回動する。このとき遥動軸受け３２は、加圧バネ３３の伸長によりプッシュアーム３１、２次転写外ローラー８と共に押し戻されて、２次転写外ローラー８が中間転写ベルト６に所定の接触圧で当接する。
【０００９】
前記の機構による画像形成装置においては、２次転写外ローラ８の離間姿勢時に、加圧バネ３３が最大限に圧縮されてプッシュアーム３１に荷重が充分かかつている。そして、２次転写外ローラ８は、中間転写ベルト６に圧接する瞬間には、ばね４０が伸び方向になるため、非常に速い速度で遥動軸受け３２を回動させる。このため、２次転写外ローラー８が中間転写ベルト６に当接する時に大きな衝撃力が発生する。この衝撃によりトナー像を感光体から中間転写ベルト転写するときに画像がずれたり、ブレが発生する場合がある。またレーザー光を感光体へ照射しているときであれば潜像そのものにずれやブレが発生してしまう事があった。
【００１０】
これに対し以下の様な技術がある。回転軸の一端に接離カム、他端に逆位相カムが固定してあり、中央にバネクラッチが設けてある。逆位相カムは前記接離カムと１８０°位相がずれている。接離カムに関連してアームが設けてあり、逆位相カムに関連して負荷アームが設けてある。転写ローラは、アームの動きに対応して移動し、中間転写ベルトへの接離動作をする。逆位相カムと負荷アームとが、接離カムの回転に対して制動力を作用させて衝撃を緩和させる構成となっている（特許文献１参照）。
【００１１】
また、次の様な技術もある。転写ローラー接離機構として、一端部に回転軸を有し、他端部に二次転写ローラを保持する揺動板と、揺動板の他端部２を中間転写体に向けて付勢するスプリングと、スプリングの付勢力に抗して揺動板の他端部を中間転写体から離す方向に移動させるカムと、揺動板の他端部が中間転写体に向けて移動するとき、揺動板の他端部の移動速度を緩和するダンパー手段とを備える構成となっている（特許文献２参照）。
【特許文献１】特開２０００−２６８４１０号公報
【特許文献２】特開２０００−１５５４７３号公報
【発明の開示】
【発明が解決しようとする課題】
【００１２】
しかしながら、前記いずれの構成においても、２次転写外ローラーを中間転写ベルトへ画像形成に必要な所定の加圧力を成して付勢する手段と、これに対し、付勢力を抑制する手段としてダンパー等を別途設ける必要があり、構成される部品点数が多くなりコスト的に高価であった。また機構も複雑になるという課題がある。
【課題を解決するための手段】
【００１３】
そこで、本発明は、感光体上に現像されたトナー像が複数回回転しながら転写される中間転写体と、該中間転写体に圧接離間自在に設けられて、シート材を中間転写体に圧接搬送しながら中間転写体上のトナー像をシート材に転写する転写ローラとを備えた画像形成装置において、回転自在に設けられた軸と、軸に設けられた二つのカムと、一端側が前記カムに当接して他端側が前記転写ローラの一端側に設けられた回転軸受けに当接するプッシュアームとを有し、前記二つのカムの位相をずらす事により、前記転写ローラが中間転写体に対し離間状態から当接状態へ移動するタイミングが前記転写ローラの長手方向の一端側が他端側に先行して中間転写体へ当接する事を特徴とする。
【発明の効果】
【００１４】
本発明によれば、転写ローラの当接時の衝撃を片方ずつに分散することができるため、衝撃による画像ずれを効果的に防止できる。
【発明を実施するための最良の形態】
【００１５】
（第１の実施例）
図１は本発明の転写ローラー装置を搭載した実施例を示すカラー複写機の断面図、図２は転写ローラ装置の上視断面図で、中間転写ベルトと２次転写外ローラーが離間した状態を示す。図３は２次転写外ローラーが中間転写体へ当接する動作を説明する上視断面図で、図４は、中間転写体と２次転写外ローラーが当接状態である上視断面図である。なお、従来と同様の機能を有する構成部品においては同一の符号を付す。
【００１６】
本実施例のカラー複写機は、従来のローラ転写装置の構造を改良したものである。従って、従来と同じ構成部品については、詳細な説明は省略し、本発明の特徴となるローラ転写装置について説明する。
【００１７】
上述のローラー転写装置８０は、図１及び図２の様に、中間転写ベルト６に圧接離間する２次転写外ローラ８と、２次転写外ローラー８の回転自在に受ける遥動軸受け２６、２７と、遥動軸受け２６、２７とローラー転写装置本体８０との間に設けられた加圧バネ２８が２次転写外ローラー８を中間転写ベルト６へ所定の力で付勢している。前記加圧バネ２８は、図４の如く、２次転写外ローラ８の当接時に所定の荷重が中間転写ベルトにかかるように配置され、図２の離間状態においては圧縮されている。また、画像形成装置本体１に回転自在に支持された回転軸２１と、回転軸２１と一体的に取り付けられたカム２２、２３とカム２２、２３のカム面に接し、一端側が遥動軸受け２６、及び２７にそれぞれ対向して配置されたプッシュアーム２４、２５が設けられている。回転軸２１は画像形成装置本体１に配設されたギヤ列２９とギヤ列２９に駆動力を供給する駆動源Ｍと連結され回転力を得る構成となっている。
【００１８】
図２は、２次転写外ローラーの離間状態を示しており、回転軸２１に固定されたカム２２、２３によりプッシュアーム２４、２５は２次転写外ローラー８の方向へ突き出た状態となっている。プッシュアーム２４、２５の先端は遥動軸受け２６、２７にそれぞれ接触して、さらに加圧バネ２８を押し縮めることにより２次転写外ローラー８を中間転写体から離間さている。
【００１９】
中間転写ベルト６が所定の周回にてトナー像を感光体４から転写された後、シート材へ２次転写する時の２次転写外ローラー当接動作について図３により説明する。
【００２０】
２次転写外ローラー８を中間転写ベルト６に当接させるタイミングが来ると、回転軸２１は一定の角速度により１８０°回転する。カム２２、２３は回転軸と共に回転するにつれてプッシュアーム２４、２５に当接しているカム面が変位していく、これに伴い、カム２２、２３からプッシュアーム２４、２５、及び遥動軸受け２６、２７を介し圧縮させられていた加圧バネ２８が伸長し、プッシュアーム２４、２５は図３記載の矢印方向へ移動していく。この時、カム２２、とカム２３は回転軸２１に対し角度（位相）をずらして取り付けられている。例えばカム２２がカム２３に対し回転軸２１の回転方向に先行する様に位相をずらして取り付けるとすると、図３の如く、遥動軸受け２６と遥動軸受け２７とが移動を開始するタイミングにずれが生じる。２次転写外ローラー８は両端部の遥動軸受け２６、２７でのみ支持されているので、中間転写ベルト６へ遥動軸受け２６側から先に当接していく。このため、転写ローラーの両端に設けられている加圧バネによる衝撃を片方づつに分散することが出来る。従って、前記カムの取り付ける位相をずらすだけの簡単な構成により、画像ずれ等の画質の低下を防止する。
【００２１】
（第２の実施例）
本実施例は、前記第１の実施例に記載のカム２２とカム２３の形状が異なる。図１１は、カム２２，２３を回転軸２１に対し垂直面をカム２２方向から見た状態を示す。
【００２２】
図１１において、２次転写外ローラー８が中間転写ベルト６に対し、離間位置から当接位置へ移動する状態を示しており、回転軸２１とカム２２、２３は不図示の駆動源により図１１記載の矢印方向へ回転している。カム２２とカム２３はそれぞれ、Ｐ１位置がプッシュアーム２４、２５のＰ３位置において接触するときに２次転写外ローラー８が離間状態となり、Ｐ２位置付近においてプッシュアーム２４，２５のＰ３位置と接触しなくなるため２次転写外ローラー８は離間状態となる。この時、カム２２とカム２３のカム面のプロファイルを図１１の如く形成しているためプッシュアーム２５とカム２３が突き当たる位置は、プッシュアーム２５の２５ａの位置となる。一方プッシュアーム２４は、カム２２のカム面が図１１の位置になっているため、プッシュアーム２４とカム２２とが突き当たる面は２４ａの位置となる。これにより２次転写外ローラー８は、前記図３の様に、遥動軸受け２６側が遥動軸受け２７側に対し先行して中間転写ベルト６に当接する動作をする。また、２次転写外ローラーが中間転写ベルト６から離間する動作は、回転軸２１が図示お矢印方向に回転しプッシュアーム２４，２５のＰ３位置と接触しているＰ２位置がＰ１位置へと変位していく。この時、カム２２とカム２３のＰ２位置からＰ１位置までの形状が同じに形成されているため、２次転写外ローラー８は中間転写ベルト６に対し平行に離間していく構成となっている。
【００２３】
（第３の実施例）
本実施例は前記第１、及び第２の実施例に対し、前記カム２２、２３の形状をそれぞれ変更したものである。図５は第３の実施例における２次転写外ローラ８と中間転写ベルト６が離間した状態を示し、図６は２次転写外ローラー８が中間転写ベルト６に対し離間位置から当接位置への移動途中を示している。また、図７は２次転写外ローラー８と中間転写ベルト６が当接している状態を示す。
【００２４】
図５において回転軸２１に固定されたカム２２、２３は回転中心からＲ０の半径を持つ位置でプッシュアーム２４，２５と接触している。この時２次転写外ローラー８と中間転写ベルト６との離間距離はＬ（２〜３ｍｍ）となっている。カム２２、２３は図５に示す矢印の方向に不図示の駆動源により回転させられる。次に、図６に示す様に、カム２２、２３の回転中心から半径Ｒ１の位置がプッシュアーム２４，２５と接触する位置にきたときには、Ｒ０＞Ｒ１となっているため２次転写外ローラー８と中間転写ベルト６との離間距離はＳ（０〜２ｍｍ）となっている。カム２２、２３がさらに矢印方向へ回転すると、プッシュアーム２４、２５と半径Ｒ２の位置に当接まで移動していく。この時カム２２，２３の前記Ｒ１とＲ２とは同じ半径で形成されているので、この間のカム２２、２３の回転によるプッシュアーム２４、２５の位置は変化しなので２次転写外ローラー８と中間転写ベルト６との離間距離はＳのままとなっている。さらに、カム２２，２３が回転していくと、図７に示す様に、カム２２、２３の半径Ｒ３となる位置でプッシュアーム２４、２５と接触する位置関係となる。この時すでに２次転写外ローラ８と中間転写ベルト６とは当接している。回転軸２１は一定角速度で回転する様に駆動源からギヤ列により連結されているので、カム２２、２３は一定角速度で回転しながらも、プッシュアーム２４、２５と２次転写外ローラ８は離間から当接状態に至る途中で一旦停止する動作となる。これにより前記２次転写外ローラー８と中間転写ベルト６との離間距離Ｌを加圧バネ２８の伸長力により一気に当接するのでは無く、離間距離Ｓ分の加圧バネ伸長力で２次転写外ローラーを当接させることが出来る。よって当接の衝撃が抑制されため、より画像ずれ等の画質の低下を防止する効果が得られる。
【図面の簡単な説明】
【００２５】
【図１】本発明の転写装置を搭載したカラー複写機を示す断面図
【図２】本発明の第１の実施例である転写装置要部の離間状態を示す上視断面図
【図３】本発明の第１の実施例である転写装置要部の動作状態を示す上視断面図
【図４】本発明の第１の実施例である転写装置要部の当接状態を示す上視断面図
【図５】本発明の第３の実施例である転写装置要部の離間状態を示す断面図
【図６】本発明の第３の実施例である転写装置要部の動作状態を示す断面図
【図７】本発明の第３の実施例である転写装置要部の当接状態を示す断面図
【図８】従来のカラー複写機を示す断面図
【図９】従来の転写装置要部の当接状態を示す断面図
【図１０】従来の転写装置要部の離間状態を示す断面図
【図１１】本発明の第２の実施例である転写装置要部の動作状態を示す断面図
【符号の説明】
【００２６】
１  画像形成装置
８０  ローラー転写装置
６  中間転写ベルト
７  ２次転写内ローラー
８  ２次転写外ローラー
２１  回転軸
２２、２３  カム
２４、２５  プッシュアーム
２６、２７  遥動軸受け
２８  加圧バネ
２９  ギヤ列
Ｍ  駆動源
【図１】
2005091725.tif 000003
【図２】
2005091725.tif 000004
【図３】
2005091725.tif 000005
【図４】
2005091725.tif 000006
【図５】
2005091725.tif 000007
【図６】
2005091725.tif 000008
【図７】
2005091725.tif 000009
【図８】
2005091725.tif 000010
【図９】
2005091725.tif 000011
【図１０】
2005091725.tif 000012
【図１１】
2005091725.tif 000013